(57)【要約】【課題】避難対象者に応じた情報を提供することができる端末管理装置、端末管理システム、端末管理方法、および端末管理用プログラムを提供する。【解決手段】現在位置特定部１２が、携帯通信端末から送信された信号をいずれの指向性アンテナを介して受信手段が受信したのかに基づいて、携帯通信端末の現在位置を特定する。経路生成部１３は、現在位置特定部１２が特定した現在位置から避難場所までの経路を示す経路情報を生成する。そして、通信部１１０は、経路生成部１３が生成した経路情報を携帯通信端末宛に送信する。【選択図】      図５
2017054412.tif 000002
【特許請求の範囲】
【請求項１】
携帯通信端末から送信された信号をいずれの指向性アンテナを介して受信手段が受信したのかに基づいて、前記携帯通信端末の現在位置を特定する現在位置特定手段と、
前記現在位置特定手段が特定した前記現在位置から避難場所までの経路を示す経路情報を生成する経路情報生成手段と、
前記経路情報生成手段が生成した前記経路情報を前記携帯通信端末宛に送信する通信手段とを備えた
ことを特徴とする端末管理装置。
【請求項２】
災害をいずれのセンサがいつ検知したのかに基づいて、災害の進展を予測する災害進展予測手段を含み、
前記経路生成手段は、前記災害進展予測手段が予測した災害の進展に応じて、前記現在位置特定手段が特定した前記現在位置から避難場所までの経路を示す経路情報を生成する
請求項１記載の端末管理装置。
【請求項３】
前記携帯通信端末から送信された信号をいずれの指向性アンテナを介して受信手段が受信したのかに基づいて、前記携帯通信端末が、前記経路情報生成手段が生成した前記経路情報が示す経路を逸脱しているか否かを判定する経路逸脱判定手段を含み、
前記経路情報生成手段は、前記経路を逸脱していると前記経路逸脱判定手段が判定した場合に、前記携帯通信端末の現在位置から避難場所までの経路を示す経路情報を生成する
請求項１または請求項２に記載の端末管理装置。
【請求項４】
前記経路情報生成手段が生成した経路情報が示す経路に基づいて、前記携帯通信端末から送信された信号を受信し得る指向性アンテナを抽出するアンテナ抽出手段を含み、
前記経路逸脱判定手段は、前記携帯通信端末から送信された信号を受信した指向性アンテナが、前記アンテナ抽出手段によって抽出された指向性アンテナであるか否かに基づいて、前記携帯通信端末が、前記経路情報生成手段が生成した前記経路情報が示す経路を逸脱しているか否かを判定する
請求項３記載の端末管理装置。
【請求項５】
前記経路逸脱判定手段は、前記携帯通信端末が、前記経路情報生成手段が生成した前記経路情報が示す経路を逸脱していると判定した場合に、前記携帯通信端末に、前記経路を逸脱していることを報知させる報知情報を生成し、
前記通信手段は、前記報知情報を前記携帯通信端末宛に送信する
請求項３または請求項４に記載の端末管理装置。
【請求項６】
請求項１から請求項５のうちいずれかに記載の端末管理装置と、
前記指向性アンテナとを備えた
ことを特徴とする端末管理システム。
【請求項７】
携帯通信端末から送信された信号をいずれの指向性アンテナを介して受信手段が受信したのかに基づいて、前記携帯通信端末の現在位置を特定する現在位置特定ステップと、
前記現在位置特定ステップで特定した前記現在位置から避難場所までの経路を示す経路情報を生成する経路情報生成ステップと、
前記経路情報生成ステップで生成した前記経路情報を前記携帯通信端末宛に送信する通信ステップとを含む
ことを特徴とする端末管理方法。
【請求項８】
コンピュータに、
携帯通信端末から送信された信号をいずれの指向性アンテナを介して受信手段が受信したのかに基づいて、前記携帯通信端末の現在位置を特定する現在位置特定処理と、
前記現在位置特定処理で特定した前記現在位置から避難場所までの経路を示す経路情報を生成する経路情報生成処理と、
前記経路情報生成処理で生成した前記経路情報を前記携帯通信端末宛に送信する通信処理とを実行させる
ための端末管理用プログラム。
【発明の詳細な説明】
【技術分野】
【０００１】
本発明は、避難対象者を誘導することができる端末管理装置、端末管理システム、端末管理方法、および端末管理用プログラムに関する。
【背景技術】
【０００２】
災害等の発生時に、建物内にいる人を誘導して避難させるための避難誘導システムがある。
【０００３】
特許文献１には、建物内を分割して設定された各区画に、センサを設置して、送信機から受信機に避難誘導情報を送信する避難誘導システムが記載されている。
【０００４】
特許文献２には、建物における火災の進展状況を予測し、当該予測結果に基づいて、当該建物内の受信機に避難経路を示す情報を送信する避難誘導システムが記載されている。
【先行技術文献】
【特許文献】
【０００５】
【特許文献１】特開２０１２−２５６３６１号公報
【特許文献２】特開２０１４−１４２７５８号公報
【発明の概要】
【発明が解決しようとする課題】
【０００６】
しかし、特許文献１に記載されている避難誘導システムや特許文献２に記載されている避難誘導システムは、建物内における一の区画における受信機の所持者に、同様な避難経路を示す情報を提供する。
【０００７】
したがって、多くの受信機に一の避難経路が提供され、当該避難経路が混雑してしまい、避難に支障が生じるおそれがある。
【０００８】
そこで、本発明は、避難対象者に応じた情報を提供することができる端末管理装置、端末管理システム、端末管理方法、および端末管理用プログラムを提供することを目的とする。
【課題を解決するための手段】
【０００９】
本発明による端末管理装置は、携帯通信端末から送信された信号をいずれの指向性アンテナを介して受信手段が受信したのかに基づいて、携帯通信端末の現在位置を特定する現在位置特定手段と、現在位置特定手段が特定した現在位置から避難場所までの経路を示す経路情報を生成する経路情報生成手段と、経路情報生成手段が生成した経路情報を携帯通信端末宛に送信する通信手段とを備えたことを特徴とする。
【００１０】
本発明による端末管理システムは、いずれかの態様の端末管理装置と、指向性アンテナとを備えたことを特徴とする。
【００１１】
本発明による端末管理方法は、携帯通信端末から送信された信号をいずれの指向性アンテナを介して受信手段が受信したのかに基づいて、携帯通信端末の現在位置を特定する現在位置特定ステップと、現在位置特定ステップで特定した現在位置から避難場所までの経路を示す経路情報を生成する経路情報生成ステップと、経路情報生成ステップで生成した経路情報を携帯通信端末宛に送信する通信ステップとを含むことを特徴とする。
【００１２】
本発明による端末管理用プログラムは、コンピュータに、携帯通信端末から送信された信号をいずれの指向性アンテナを介して受信手段が受信したのかに基づいて、携帯通信端末の現在位置を特定する現在位置特定処理と、現在位置特定処理で特定した現在位置から避難場所までの経路を示す経路情報を生成する経路情報生成処理と、経路情報生成処理で生成した経路情報を携帯通信端末宛に送信する通信処理とを実行させることを特徴とする。
【発明の効果】
【００１３】
本発明によれば、避難対象者に応じた情報を提供して、避難対象者をより適切な経路に誘導することができる。
【図面の簡単な説明】
【００１４】
【図１】本発明の第１の実施形態の情報提供システムの構成例を示すブロック図である。
【図２】管理装置の構成例を示すブロック図である。
【図３】本発明の第１の実施形態の情報提供システムの動作を示すシーケンス図である。
【図４】本発明の第１の実施形態の情報提供システムの動作を示すシーケンス図である。
【図５】本発明の第２の実施形態の端末管理装置の構成例を示すブロック図である。
【発明を実施するための形態】
【００１５】
実施形態１．
本発明の第１の実施形態の情報提供システムについて図面を参照して説明する。図１は、本発明の第１の実施形態の情報提供システムの構成例を示すブロック図である。図１に示すように、本発明の第１の実施形態の情報提供システムは、管理装置１００と、基地局装置２００を介して管理装置１００に接続されたアンテナ制御装置３００−１〜３００−ｎに接続されたアンテナ４００−１〜４００−ｍとを含む。
【００１６】
管理装置１００と基地局装置２００とは互いに接続されている。そして、基地局装置２００には、アンテナ制御装置３００−１〜３００−ｎが接続されている。
【００１７】
アンテナ制御装置３００−１〜３００−ｎには、建物に発生した火災等の災害を検出するセンサがそれぞれ接続されている。そして、アンテナ制御装置３００−１〜３００−ｎは、接続されたセンサが火災等の災害を検出した場合に、被災していることを示す災害情報を生成して基地局装置２００に送信する。また、アンテナ制御装置３００−１〜３００−ｎのそれぞれには、いずれか１つ以上のアンテナ４００−１〜４００−ｍが接続されている。
【００１８】
そして、管理装置１００は、基地局装置２００、アンテナ制御装置３００−１〜３００−ｎ、およびアンテナ４００−１〜４００−ｍを介して、ＵＥ（Ｕｓｅｒ  Ｅｑｕｉｐｍｅｎｔ）５００−１〜５００−ｚと情報を送受信する。
【００１９】
なお、アンテナ制御装置３００−１〜３００−ｎをアンテナ制御装置３００と総称することがある。また、アンテナ４００−１〜４００−ｍをアンテナ４００と総称することがある。そして、ＵＥ５００−１〜５００−ｚをＵＥ５００と総称することがある。
【００２０】
ＵＥ５００が、一のアンテナ制御装置３００に接続されているアンテナ４００による通信可能範囲から、他のアンテナ制御装置３００に接続されているアンテナ４００による通信可能範囲に移動した場合に、一のアンテナ制御装置３００と他のアンテナ制御装置３００との間でハンドオーバの処理が行われる。
【００２１】
なお、図面中の矢印の向きは、一例を示すものであり、ブロック間の信号の向きを限定するものではない。
【００２２】
図２は、管理装置１００の構成例を示すブロック図である。図２に示すように、本実施形態における管理装置１００は、通信部１１０および制御部１２０を含む。
【００２３】
通信部１１０は、基地局装置２００、アンテナ制御装置３００−１〜３００−ｎ、およびアンテナ４００−１〜４００−ｍを介して、ＵＥ５００−１〜５００−ｚと情報を送受信する。
【００２４】
制御部１２０は、管理装置１００の全体を制御する。
【００２５】
なお、管理装置１００は、例えば、プログラム制御に従って処理を実行するＣＰＵ（Ｃｅｎｔｒａｌ  Ｐｒｏｃｅｓｓｉｎｇ  Ｕｎｉｔ）や通信モジュール等の単数または複数の回路によって実現される。
【００２６】
アンテナ制御装置３００−１〜３００−ｎは、例えば、遠隔アンテナ装置（ＲＲＥ：Ｒｅｍｏｔｅ  Ｒａｄｉｏ  Ｅｑｕｉｐｍｅｎｔ）によって実現される。
【００２７】
アンテナ４００−１〜４００−ｍは、例えば、指向性を有するパッチアンテナによって実現される。本例では、アンテナ４００−１〜４００−ｍは、例えば、建物において、１部屋等の１区画よりも狭い領域である、当該部屋の北側や、南側、東側、西側、中央部等のうち一の領域における利得が他の領域における利得よりも十分に高いように設けられているとする。つまり、アンテナ４００−１〜４００−ｍのそれぞれを介して通信可能な領域は、建物において１部屋等の１区画よりも狭いそれぞれの領域である。
【００２８】
ＵＥ５００−１〜５００−ｚは、例えば、携帯電話機やスマートフォン等の可搬型情報通信端末によって実現される。
【００２９】
次に、本発明の第１の実施形態の情報提供システムの動作について、図面を参照して説明する。図３，４は、本発明の第１の実施形態の情報提供システムの動作を示すシーケンス図である。
【００３０】
図３，４に示すように、アンテナ制御装置３００−１〜３００−ｎは、接続されているセンサによって災害が検出された場合に、災害情報を生成して基地局装置２００に送信する（ステップＳ１０１，Ｓ１０３）。なお、災害情報には、例えば、センサを識別するセンサ識別情報が含まれているとする。
【００３１】
基地局装置２００は、アンテナ制御装置３００−１〜３００−ｎが送信した災害情報を管理装置１００に送信する（ステップＳ１０２，Ｓ１０４）。
【００３２】
管理装置１００（具体的には、例えば、通信部１１０）は、ステップＳ１０２，Ｓ１０４の処理で送信された災害情報を受信し、制御部１２０が、当該災害情報を受信した順に災害の状況を分析する分析処理を行う（ステップＳ１０５）。ここで、管理装置１００には、例えば、各センサを識別するセンサ識別情報と設置位置を示す位置情報とが対応付けられたセンサデータベースが設けられているとする。そして、管理装置１００の制御部１２０は、分析処理で、例えば、センサデータベースを参照して、ステップＳ１０２，Ｓ１０４の処理で順次送信された災害情報に含まれているセンサ識別情報に基づいて、災害が発生した場所を順次特定する。そして、管理装置１００は、分析処理で、例えば、順次特定した、災害が発生した場所に基づいて、災害の進展状況を予測する。例えば、管理装置１００の通信部１１０が、第１のセンサ（図示せず）に応じたセンサ識別情報を含む災害情報を受信してから１０分後に、第２のセンサ（図示せず）に応じたセンサ識別情報を含む災害情報を受信したとする。そして、センサデータベースにおいて、第２のセンサに応じたセンサ識別情報に対応付けられた位置情報が示す設置位置が第１のセンサに応じたセンサ識別情報に対応付けられた位置情報が示す設置位置から北方に１０ｍ離れた位置である場合に、制御部１２０が、災害が１０分で１０ｍの速さで北方に進展すると予測する。
【００３３】
また、管理装置１００（具体的には、例えば、通信部１１０）は、基地局装置２００を介してアンテナ制御装置３００−１〜３００−ｎに、アンテナ４００−１〜４００−ｍの起動制御を指示する（ステップＳ１０６）。
【００３４】
アンテナ制御装置３００−１〜３００−ｎは、ステップＳ１０６の処理における管理装置１００による指示に従って、アンテナ４００−１〜４００−ｍの起動制御を行う（ステップＳ１０７，Ｓ１０８）。さらに、アンテナ制御装置３００−１〜３００−ｎは、アンテナ４００−１〜４００−ｍを介して、応答を要求する応答要求を送信する（ステップＳ１０９，Ｓ１１０）。
【００３５】
本例では、ステップＳ１０９の処理で送信された応答要求は、ＵＥ５００−１によって受信されたとする（ステップＳ１１１）。そして、アンテナ制御装置３００−１は、ステップＳ１０９の処理で送信された応答要求を受信したＵＥ５００−１によって送信された応答情報をアンテナ４００−１を介して受信したとする（ステップＳ１１２）。なお、応答情報には、例えば、ＵＥ５００−１を他のＵＥ５００から識別可能であり、当該応答情報を受信した管理装置１００等がＵＥ５００−１と通信可能な情報である、電子メールアドレスや携帯電話番号、ＩＰ（Ｉｎｔｅｒｎｅｔ  Ｐｒｏｔｃｏｌ）アドレス、ＭＡＣ（Ｍｅｄｉａ  Ａｃｃｅｓｓ  Ｃｏｎｔｒｏｌ）アドレス等の情報が含まれているとする。
【００３６】
アンテナ制御装置３００−１は、ステップＳ１１１の処理で受信した応答情報と、当該応答情報の受信に用いられたアンテナ４００−１を識別するアンテナ識別情報とを含むＵＥ情報を基地局装置２００を介して管理装置１００に送信する（ステップＳ１１３）。
【００３７】
なお、アンテナ制御装置３００−１〜３００−ｎは、例えば、管理装置１００による指示に従って、所定の時間間隔で、ステップＳ１０９〜Ｓ１１３の処理を繰り返す。具体的には、アンテナ制御装置３００−１〜３００−ｎは、例えば、管理装置１００による指示に従って、所定の時間間隔で、アンテナ４００−１〜４００−ｍを介して、応答要求を送信する処理と、ＵＥ５００−１〜５００−ｚが送信してアンテナ４００−１〜４００−ｍを介して受信した応答情報を含むＵＥ情報を基地局装置２００を介して管理装置１００に送信する処理とを繰り返す。
【００３８】
管理装置１００（具体的には、例えば、制御部１２０）は、ステップＳ１１３の処理で送信されたＵＥ情報が含むアンテナ識別情報に基づいて、ＵＥ５００−１の位置を特定するＵＥ位置特定処理を行う（ステップＳ１１４）。具体的には、管理装置１００には、例えば、アンテナ４００−１〜４００−ｍを識別するアンテナ識別情報と各アンテナ４００−１〜４００−ｍを介して通信可能な領域を示す位置情報とが対応付けられたアンテナデータベースが設けられているとする。
【００３９】
そして、管理装置１００の制御部１２０は、ＵＥ位置特定処理で、例えば、アンテナデータベースにおいて、ステップＳ１１３の処理で送信されたＵＥ情報に含まれているアンテナ識別情報に対応付けられている位置情報を読み出して、ＵＥ５００−１との情報の送受信に用いられたアンテナ４００−１が通信可能な領域を特定する。当該領域には、ＵＥ５００−１の所持者がいる位置が含まれることになる。したがって、管理装置１００の制御部１２０は、ＵＥ位置特定処理で、ＵＥ５００−１の所持者がいる位置を含む領域を特定することができる。
【００４０】
そして、管理装置１００の制御部１２０は、ステップＳ１０５の分析処理による予測結果と、ステップＳ１１４のＵＥ位置特定処理で特定した、ＵＥ５００−１の所持者がいる位置とに基づいて、ＵＥ５００−１の所持者が安全な場所に無事に避難するための避難経路を示す避難経路情報を生成する（ステップＳ１１５）。具体的には、管理装置１００の制御部１２０は、例えば、分析処理による予測結果に基づいて、安全な場所を避難場所として抽出する。さらに、管理装置１００の制御部１２０は、例えば、抽出した避難場所とＵＥ５００−１の所持者がいる位置との間の経路を探索する。そして、管理装置１００の制御部１２０は、例えば、分析処理による予測結果に基づいて、探索した経路からより適切な経路を避難経路に決定する。管理装置１００の制御部１２０は、決定した避難経路を示す避難経路情報を生成する。なお、安全な場所とは、例えば、分析処理による予測結果が示す、所定時間（例えば３０分）以内に災害が進展する領域に含まれない場所をいう。すなわち、安全な場所とは、例えば、所定時間が経過しても被災しない場所をいう。また、適切な経路とは、例えば、探索した経路において、分析処理による予測結果が示す、所定時間以内に災害が進展する領域を通過しない経路のうち、最も距離が短い経路をいう。そして、避難経路情報は、当該経路をＵＥ５００−１の表示手段（図示せず）に表示させるための情報である。なお、経路の検索には、例えば、管理装置１００に予め登録されている地図データが用いられたりする既知の方法が用いられる。
【００４１】
管理装置１００（具体的には、例えば、通信部１１０）は、ステップＳ１１５の処理で制御部１２０が生成した避難経路情報を、基地局装置２００、アンテナ制御装置３００−１、およびアンテナ４００−１を介して送信する（ステップＳ１１６）。
【００４２】
ステップＳ１１６の処理で送信された避難経路情報は、基地局装置２００、アンテナ制御装置３００−１、アンテナ４００−１を介してＵＥ５００−１によって受信される。
【００４３】
そして、ＵＥ５００−１は、ステップＳ１１５の処理で送信された避難経路情報を受信し、受信した当該避難経路情報が示す経路を、例えば、表示手段に表示させる（ステップＳ１１７）。
【００４４】
また、管理装置１００（具体的には、例えば、制御部１２０）は、例えば、アンテナ４００−１〜４００−ｍのうち、アンテナデータベースに登録されている位置情報が示す領域を、避難経路情報が示す経路が通過するアンテナを抽出する。そして、管理装置１００の制御部１２０は、アンテナデータベースにおいて、抽出した当該アンテナの位置情報に対応付けられているアンテナ識別情報を当該アンテナデータベースから抽出する（ステップＳ１１８）。なお、アンテナ４００−１〜４００−ｍのうち、アンテナデータベースに登録されている位置情報が示す領域を、避難経路情報が示す経路が通過するアンテナとは、ＵＥ５００−１の所持者が避難経路情報が示す経路に従って避難した場合に、当該ＵＥ５００−１が管理装置１００との間の通信等で用いられるアンテナに相当する。
【００４５】
管理装置１００の制御部１２０は、前述したように、繰り返されているステップＳ１０９〜Ｓ１１３の処理において、アンテナ制御装置３００−１〜３００−ｎが送信したＵＥ情報に含まれるアンテナ識別情報が、ステップＳ１１８の処理でアンテナデータベースから抽出したアンテナ識別情報に含まれていない場合に（ステップＳ１１９のＮ）、避難経路から逸脱していると判定し、ＵＥ５００−１が、避難経路から逸脱していることを報知して移動経路の修正を促すための逸脱修正情報を生成する（ステップＳ１２０）。なお、逸脱修正情報は、例えば、アンテナデータベースにおいて、アンテナ制御装置３００−１〜３００−ｎが送信したＵＥ情報に含まれるアンテナ識別情報に対応付けられている位置情報が示す領域から、分析処理による予測結果が示す、災害が進展する領域を通過せずに、避難経路情報が示す経路において当該領域から最も近い位置や、安全な場所まで移動する経路をＵＥ５００−１の表示手段に表示させるための情報である。なお、逸脱修正情報は、当該経路をＵＥ５００−１の音声出力手段に出力させるための情報であってもよい。
【００４６】
そして、管理装置１００の通信部１１０は、生成した逸脱修正情報を、基地局装置２００、アンテナ制御装置３００−１、およびアンテナ４００−１を介してＵＥ５００−１に送信する（ステップＳ１２１）。
【００４７】
ＵＥ５００−１は、ステップＳ１２１の処理で送信された逸脱修正情報を受信し、受信した当該逸脱修正情報が示す経路を、例えば、表示手段に表示させる（ステップＳ１２２）。
【００４８】
また、管理装置１００（具体的には、制御部１２０）は、ステップＳ１１９の処理で、アンテナ制御装置３００−１〜３００−ｎが送信したＵＥ情報に含まれているアンテナ識別情報が示すアンテナが従前に受信したＵＥ情報に含まれていたアンテナ識別情報が示すアンテナと相違しているが、当該アンテナ識別情報がアンテナデータベースから抽出したアンテナ識別情報に含まれている場合に（ステップＳ１１９のＹ）、アンテナデータベースにおいて当該アンテナ識別情報に対応付けられている位置情報が示す領域から、避難経路に従って避難場所に至る経路を示す避難経路情報を生成する（ステップＳ１２３）。そして、通信部１１０は、ステップＳ１２３の処理で生成された避難経路情報をＵＥ５００−１に送信する（ステップＳ１２４）。
【００４９】
ステップＳ１２４の処理で送信された避難経路情報は、基地局装置２００、アンテナ制御装置３００−１、アンテナ４００−１を介してＵＥ５００−１に送信される。
【００５０】
そして、ＵＥ５００−１は、ステップＳ１２４の処理で送信された避難経路情報を受信し、受信した当該避難経路情報が示す経路を、例えば、表示手段に表示させる（ステップＳ１２５）。
【００５１】
本実施形態によれば、管理装置１００が、ＵＥ５００−１によって送信された応答情報がいずれの指向性アンテナを介して受信されたのかに基づいて、ＵＥ５００−１の位置を特定するＵＥ位置特定処理を行い、避難経路を示す避難経路情報を生成して、ＵＥ５００−１に提供する。したがって、本実施形態によれば、避難対象者に応じた情報を提供して、避難対象者をより適切な経路で避難場所に誘導することができる。
【００５２】
また、本実施形態によれば、管理装置１００が、予測した災害の進展状況に応じて、避難経路情報を生成する。したがって、本実施形態によれば、避難対象者を、より安全な避難経路で避難場所に誘導することができる。
【００５３】
なお、管理装置１００は、一のＵＥ５００−１に、避難経路情報を送信する例について説明したが、管理装置１００は、複数のＵＥ５００−１〜５００−ｚに互いに異なる避難経路情報をそれぞれ送信し得る。したがって、各ＵＥ５００−１〜５００−ｚを所持しているそれぞれの避難対象者に応じた情報を提供して、各避難対象者をより適切な経路にそれぞれ誘導することができる。
【００５４】
実施形態２．
次に、本発明の第２の実施形態の端末管理装置１０について、図面を参照して説明する。図５は、本発明の第２の実施形態の端末管理装置１０の構成例を示すブロック図である。図５に示すように、本発明の第２の実施形態の端末管理装置１０は、現在位置特定部１２、経路生成部１３、および通信部１１を含む。
【００５５】
現在位置特定部１２および経路生成部１３は、図２に示す第１の実施形態における管理装置１００の制御部１２０に相当する。通信部１１は、図２に示す第１の実施形態における管理装置１００の通信部１１０に相当する。
【００５６】
現在位置特定部１２は、携帯通信端末（図１に示すＵＥ５００−１〜５００−ｚに相当）から送信された信号をいずれの指向性アンテナ（図１に示すアンテナ４００−１〜４００−ｍに相当）を介して受信手段（図１に示すアンテナ制御装置３００−１〜３００−ｎに相当）が受信したのかに基づいて、携帯通信端末の現在位置を特定する。
【００５７】
経路生成部１３は、現在位置特定部１２が特定した現在位置から避難場所までの経路を示す経路情報を生成する。
【００５８】
そして、通信部１１は、経路生成部１３が生成した経路情報を携帯通信端末宛に送信する。
【００５９】
本実施形態によれば、現在位置特定部１２が、携帯通信端末によって送信された信号がいずれのアンテナを介して受信されたのかに基づいて、当該携帯通信端末の位置を特定する。そして、経路生成部１３が、避難経路を示す経路情報を生成し、通信部１１が、当該経路情報を当該携帯通信端末に提供する。したがって、本実施形態によれば、避難対象者に応じた情報を提供して、避難対象者をより適切な経路に誘導することができる。
【符号の説明】
【００６０】
１０    端末管理装置
１１    通信部
１２    現在位置特定部
１３    経路生成部
１００    管理装置
１１０    通信部
１２０    制御部
２００    基地局装置
３００    アンテナ制御装置
４００    アンテナ
５００    ＵＥ
【図１】
2017054412.tif 000003
【図２】
2017054412.tif 000004
【図３】
2017054412.tif 000005
【図４】
2017054412.tif 000006
【図５】
2017054412.tif 000007